【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】  部分的に重ねられた郵便物の群を集積し移送する集積・移送装置において、複数の第１移送モジュール（５）を具備し、各第１移送モジュールが該第１移送モジュール（５）の入口（５ｉ）から出口（５ｏ）へと延びる移送経路（５ｐ）を区画形成し、該第１移送モジュール（５）が部分的に重ねられた郵便物（Ｉｂｓ）を移送方向に沿って整列させつつ前縁（Ｓ）を離間させた状態で前記移送経路（５ｐ）に沿って動かすことができると共に、該第１移送モジュール（５）が部分的に重ねられた郵便物（Ｉｂｓ）の群を入力として受け取り、当該集積・移送装置が複数の第２移送モジュール（２０，２２）をさらに具備し、各第２移送モジュールが該第２移送モジュール（２０，２２）の入口（２０ｉ）から出口（２２ｏ）へと延びる移送経路（２０ｐ，２２ｐ）を区画形成し、各第２移送モジュール（２０，２２）が部分的に重ねられた郵便物（Ｉｂｓ）の群を前記移送経路（２０ｐ，２２ｐ）に沿って動かすことができ、当該集積・移送装置が第１移送モジュール（５）の全ての出口（５ｏ）と第２移送モジュール（２０，２２）の全ての入口（２０ｉ）との間に挿入された移送装置（１２）をさらに具備し、該移送装置（１２）が第１移送モジュール（５）のいずれかの出口（５ｏ）から到着する部分的に重ねられた郵便物の群（Ｉｂｓ）を受け取って該郵便物の群（Ｉｂｓ）を第２移送モジュール（２０，２２）のいずれかの入口（２０ａ）に供給する制御手段（３２，４０，３０，７，３４）に連結されていることを特徴とする集積・移送装置。
【請求項２】  前記移送装置（１２）が第１移送モジュール（５）の全ての出口（５ｏ）と第２移送モジュール（２０，２２）の全ての入口（２０ｉ）とに連通する閉じた経路を形成していることを特徴とする請求項１に記載の集積・移送装置。
【請求項３】  前記移送装置（１２）がループの閉じた経路を形成し、該ループの閉じた経路が、いずれかの第１移送モジュール（５）から搬出される部分的に重ねられた郵便物の群を受け取るように第１移送モジュール（５）の全ての出口（５ｏ）に連通している第１移送部分（１２ａ）を備えた搬入領域（１４）と、前記第１移送部分（１２ａ）から郵便物を受け取る第２移送部分（１２ｂ）を備えた移送領域（１５）と、前記第２移送部分（１２ｂ）から搬出される郵便物を受け取ると共に前記移送装置（１２）において移送される部分的に重ねられた郵便物の群を第２移送モジュール（２０，２２）に送るために該第２移送モジュール（２０，２２）の入口（２０ｉ）に連通している第３移送部分（１２ｃ）を備えた搬出領域（１６）と、前記第３移送部分（１２ｃ）から郵便物を受け取って該郵便物を前記第１移送部分（１２ａ）に入力として供給する第４移送部分（１２ｄ）を備えた再循環領域（１７）とを有することを特徴とする請求項１に記載の集積・移送装置。
【請求項４】  遠隔指令に応じて部分的に重ねられた郵便物（Ｉｂｓ）の群を前記第１移送部分（１２）に搬入すると共に該搬入の開始と終了とを制御することができるように前記第１移送部分（１２ａ）に沿って前記出口（５ｏ）それぞれに連通して配置された搬入手段（３０）を具備することを特徴とする請求項３に記載の集積・移送装置。
【請求項５】  前記移送部分（１２ａ，１２ｂ，１２ｃ，１２ｄ）それぞれが前記移送装置（１２）において循環している部分的に重ねられた郵便物の群（Ｉｂｓ）の通過を検知する感知手段（４０）を該移送部分の端部に有することを特徴とする請求項３又は４に記載の集積・移送装置。
【請求項６】  前記移送装置（１２）が開放経路を形成し、該開放経路が、いずれかの第１移送モジュール（５）から搬出される部分的に重ねられた郵便物の群を受け取るように第１移送モジュール（５）の全ての出口（５ｏ）と連通している第１移送部分（１２ａ）を備えた搬入領域（１４）と、前記第１移送部分（１２ａ）から搬出される郵便物を受け取る第２移送部分（１２ｂ）を備えた移送領域（１５）と、前記第２移送部分（１２ｂ）から搬出される郵便物を受け取ると共に前記移送装置（１２）において移送される部分的に重ねられた郵便物の群を第２移送モジュール（２０，２２）に送るために該第２移送モジュール（２０，２２）の入口（２０ｉ）に連通している第３移送部分（１２ｃ）を備えた搬出領域（１６）とを有することを特徴とする請求項１に記載の集積・移送装置。
【請求項７】  前記移送装置（１２）が部分的に重ねられた郵便物（Ｉｂｓ）の群を移送するための第１ループ（Ｐａ１）を少なくとも区画形成し、前記第１ループ（Ｐａ１）が第１移送モジュール（５ａ）の第１部分（Ｓａ）の出口（５ｏ）と第２移送モジュール（２０ａ，２２ａ）の第１部分（Ｕａ）の入口（２０ｉ）とに連通しており、前記移送装置が部分的に重ねられた郵便物（Ｉｂｓ）の群を移送するための第２ループ（Ｐａ２）を少なくとも区画形成し、前記第２ループ（Ｐａ２）が第１移送モジュール（５ｂ）の第２部分（Ｓｂ）の出口（５ｏ）と第２移送モジュール（２０ｂ，２２ｂ）の第２部分（Ｕｂ）の入口（２０ｉ）とに連通しており、前記第１経路（Ｐａ１）と第２経路（Ｐａ２）との間で部分的に重ねられた郵便物の群を交換することができるように前記第１経路（Ｐａ１）と第２経路（Ｐａ２）との間に相互連結手段（６１，６２）が設けられていることを特徴とする請求項１に記載の集積・移送装置。
【請求項８】  前記移送装置（１２）が少なくとも１つの交差ループ移送装置（１２，１２ｋ，１２ｌ）を有し、該交差ループ移送装置が部分的に重ねられた郵便物（Ｉｂｓ）の群を移送するための第１の開放した半ループ経路（Ｐｓ1 ）を少なくとも区画形成し、該第１の開放した半ループ経路（Ｐｓ1 ）が第１移送モジュール（５ａ）の第１部分組立体（Ｓａ）の出口（５ｏ）と第２移送モジュール（２０ａ，２２ａ）の第１部分組立体（Ｕａ）の入口（２０ｉ）とに連通しており、さらに、前記交差ループ移送装置（１２，１２ｋ，１２ｌ）が部分的に重ねられた郵便物（Ｉｂｓ）の群を移送するための第２の開放した半ループ経路（Ｐｓ2 ）を少なくとも区画形成し、前記第２の開放した半ループ経路（Ｐｓ2 ）が第１移送モジュール（５ｂ）の第２部分組立体（Ｓｂ）の出口（５ｏ）と第２移送モジュール（２０ｂ，２２ｂ）の第２部分組立体（Ｕｂ）の入口（２０ｉ）とに連通しており、前記第１の開放した半ループ経路（Ｐｓ1 ）と第２の開放した半ループ経路（Ｐｓ2 ）との間に二方向相互連結手段（７３，７４）が設けられていることを特徴とする請求項１に記載の集積・移送装置。
【請求項９】  別の交差ループ移送装置をさらに具備すると共に、該別の交差ループ移送装置（１２，１２ｌ）と上記交差ループ移送装置（１２，１２ｋ）との間で部分的に重ねられた郵便物の群を移動させることができるように前記別の交差ループ移送装置（１２，１２ｌ）と上記交差ループ移送装置（１２，１２ｋ）との間に延びる相互連結・交換手段（７６，７７）をさらに具備することを特徴とする請求項８に記載の集積・移送装置。
【請求項１０】  前記移送装置（１２）が第１移送モジュール（５）の出口（５ｏ）を第２移送モジュール（２０，２２）のそれぞれ対応する入口（２０ｉ）に相互に直接連結する複数の直接移送部分（８０）を有し、部分的に重ねられた郵便物（Ｉｂｓ）の群を第１移送モジュール（５）から第２移送モジュール（２０）へと直接移送するために各直接移送部分（８０）が第１移送モジュール（５）の出口（５ｏ）に結合された第１端部と第２移送モジュール（２０，２２）の入口（２０ｉ）に結合された第２端部との間に延びており、前記移送装置が１つの直接移送部分（８０）の第２端部と別の１つの直接移送部分（８０）の第１端部との間に延びる複数の案内部分（８２）をさらに有し、各案内部分（８２）が１つの直接移送部分（８０）の第２端部に送られた部分的に重ねられた郵便物（Ｉｂｓ）の群を別の１つの直接移送部分（８０）の第１端部に移送することを特徴とする請求項１に記載の集積・移送装置。
【請求項１１】  前記移送装置（１２）が前記直接移送部分（８０）の第２端部に配設された交換手段（８５）をさらに有し、該交換手段が前記第２端部が第２移送モジュール（２０，２２）の入口（２０ｉ）に連通しているが該第２端部が前記案内部分（８２）に同時に連通することを阻止している第１の位置と前記直接移送部分（８０）の第２端部が案内部分（８２）に連通しているが該第２端部が第２移送モジュール（２０，２２）の入口に連通することを妨げている第２の位置との２つの位置をとり、前記移送装置が案内部分（８２）の端部を直接移送部分（８０）の第１端部に連結する搬入手段（８７）をさらに有することを特徴とする請求項１０に記載の集積・移送装置。
【請求項１２】  前記移送装置（１２）の部分（１２ｃ）が複数の第２移送モジュール（２０，２２）の入口（２０ｉ）に連通する交換装置（３７）を一端に有する移送部分（３５）に交換手段（３４）によって連通している請求項１から１１のうちの１項に記載の集積・移送装置。
【請求項１３】  前記移送装置（１２）が部分的に重ねられた郵便物（Ｉｂｓ）の群を移送するための第１の閉じたループ（Ｐｃｗ）と部分的に重ねられた郵便物（Ｉｂｓ）の群を移送するための第２の閉じたループ（Ｐａｃｗ）とを少なくとも区画形成し、部分的に重ねられた郵便物の群を前記第１の閉じたループ（Ｐｃｗ）又は第２の閉じたループ（Ｐａｃｗ）に供給するように各第１移送モジュール（５）が前記第１の閉じたループ（Ｐｃｗ）と第２の閉じたループ（Ｐａｃｗ）とに出口（５０，９３，９４）において連通しており、部分的に重ねられた郵便物の群を前記第１の閉じたループ（Ｐｃｗ）又は第２の閉じたループ（Ｐａｃｗ）から受け取るように各第２移送モジュール（２０，２２）が前記第１の閉じたループ（Ｐｃｗ）と第２の閉じたループ（Ｐａｃｗ）とに連通（９５，９６）する入口（２０ｉ）を有することを特徴とする請求項１に記載の集積・移送装置。
【請求項１４】  前記移送装置（１２）において、前記第１の閉じたループ部分（Ｐｃｗ）における回転方向が第２の閉じたループ部分（Ｐａｃｗ）における回転方向とは逆であることを特徴とする請求項１３に記載の集積・移送装置。
【請求項１５】  前記第１移送モジュール（５）の出口（５ｏ）が第２移送モジュール（２０，２２）の入口（２０ｉ）と共に前記移送装置（１２）から形成された経路に沿って交互に配されていることを特徴とする請求項１から１４のうちの１項に記載の集積・移送装置。